【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
第１の無線装置が無線ネットワークを通じて少なくとも第２の無線装置とランデブー動作することを可能にし、前記第１の無線装置及び前記第２の無線装置の起動ケジュールは、同期化されないものとした方法であって、
複数の通信サイクルの各サイクルにおける複数の時間ユニットを予め規定すること、
前記第１の無線装置が稼働モードに移行している各サイクルにおいて複数の稼働時間ユニットを識別すること、及び
前記第１の無線装置が不稼働モードに移行している各サイクルにおける複数の不稼働時間ユニットを識別し、前記複数の稼働時間ユニットと前記複数の不稼働時間ユニットとの合計を、各サイクルにおける時間ユニットの数に等しくすること、
を有し、
各サイクルにおける複数の稼働時間ユニットのうちの１の稼働時間ユニットは、前の継続したサイクルにおける稼働時間ユニットと同じ当該サイクルにおける位置を占め、
各サイクルにおける複数の稼働時間ユニットのうちの他の稼働時間ユニットは、前の継続したサイクルにおける稼働時間ユニットとは異なる当該サイクルにおける位置を占める、
方法。
【請求項２】
請求項１に記載の方法であって、各サイクルにおける前記複数の稼働時間ユニットのうちの当該他の稼働時間ユニットは、後続の継続したサイクルにおける稼働時間ユニットと同じ当該サイクルにおける位置を占める、方法。
【請求項３】
請求項２に記載の方法であって、各サイクルにおける前記複数の稼働時間ユニットのうちの当該１の稼働時間ユニットは、後続の継続したサイクルにおける稼働時間ユニットとは異なる当該サイクルにおける位置を占める、方法。
【請求項４】
請求項１に記載の方法であって、各時間ユニットは、前記無線ネットワークのスーパーフレームに対応する、方法。
【請求項５】
請求項４に記載の方法であって、各サイクルにおける前記複数の稼働時間ユニットは、当該１の稼働時間ユニットと当該他の稼働時間ユニットとからなる、方法。
【請求項６】
請求項５に記載の方法であって、各サイクルにおける前記複数の稼働時間ユニットを識別することは、次式
Ｘｉ＋１＝（Ｘｉ＋Ｓ）ｍｏｄＣ
を適用することを含み、Ｘｉは、当該１の稼働時間ユニットの値であり、Ｘｉ＋１は、前記他の稼働時間ユニットの値であり、Ｃは、各サイクルにおける時間ユニットの数であり、Ｓは、１ないしＣ−１の間の値を有する定数である、
方法。
【請求項７】
請求項６に記載の方法であって、各サイクルのＸｉの値は、前の継続したサイクルの値Ｘｉ＋１に等しい、方法。
【請求項８】
請求項１に記載の方法であって、前記第２の無線装置は、
複数の通信サイクルの各サイクルにおける時間ユニット数を判定し、
前記第２の無線装置が稼働モードに移行している各サイクルにおける複数の稼働時間ユニットを識別し、
前記第２の無線装置が不稼働モードに移行している各サイクルにおける複数の不稼働時間ユニットを識別し、前記複数の稼働時間ユニットと前記複数の不稼働時間ユニットの合計を、各サイクルにおける時間ユニットの数に等しくし、
各サイクルにおける前記複数の稼働時間ユニットのうちの１つは、前の継続したサイクルにおける稼働時間ユニットと同じ当該サイクルにおける位置を占め、
各サイクルにおける前記複数の稼働時間ユニットのうちの他の稼働時間ユニットは、前の継続したサイクルにおける稼働時間ユニットとは異なる当該サイクルにおける位置を占める、
方法。
【請求項９】
請求項８に記載の方法であって、前記第１の無線装置は、前記第２の無線装置と、これらが同時に稼働モードにあるときに通信可能である、方法。
【請求項１０】
請求項１に記載の方法であって、前記稼働モードは、前記第１の無線装置がハイバネーション状態から覚醒し前記無線ネットワークにおける通信を行う覚醒モードを有する、方法。
【請求項１１】
請求項１に記載の方法であって、前記稼働モードは、前記第１の無線装置が他の指向性アンテナを位置特定するために指向性アンテナによりスキャンを行う発見モードを有する、方法。
【請求項１２】
請求項１１に記載の方法であって、前記指向性アンテナのスキャンは、前記指向性アンテナのアンテナビームを掃引することを有する、方法。
【請求項１３】
無線ネットワークにおいて少なくとも１つの他の装置と周期的にランデブー動作を行うよう構成された、前記無線ネットワークにおける通信を行う装置であって、当該装置の起動スケジュールが、前記少なくとも１つの他の装置の起動スケジュールと同期しないものとされる、装置であって、
ランデブーアルゴリズム、及び複数のサイクルの各サイクルにおける複数の時間ユニットを識別する情報を記憶するためのメモリと、
前記ランデブーアルゴリズムに従い、当該装置が稼働モードに移行しているところの各サイクルにおける複数の稼働時間ユニットを判定するプロセッサであって、各サイクルにおける当該複数の稼働時間ユニットのうちの１つが、前の継続したサイクルにおける稼働時間ユニットと同じ当該サイクルにおける位置を占め、各サイクルにおける前記複数の稼働時間ユニットのうちの他の稼働時間ユニットが、前の継続したサイクルにおける稼働時間ユニットとは異なる当該サイクルにおける位置を占めるものとしたプロセッサと、
を有し、
当該装置は、各サイクルの複数の不稼働時間ユニットにおいて不稼働モードにあり、前記複数の稼働時間ユニットと前記複数の不稼働時間ユニットとの合計は、各サイクルにおける時間ユニットの数と等しい、
装置。
【請求項１４】
請求項１３に記載の装置であって、前記ランデブーアルゴリズムは、各サイクルにおける当該複数の稼働時間ユニットを判定するために、次式
Ｘｉ＋１＝（Ｘｉ＋Ｓ）ｍｏｄＣ
を有し、Ｘｉは、当該１の稼働時間ユニットの値であり、Ｘｉ＋１は、当該他の稼働時間ユニットの値であり、Ｃは、各サイクルにおける時間ユニットの数であり、Ｓは、１ないしＣ−１の間の値を有する定数である、
装置。
【請求項１５】
請求項１４に記載の装置であって、
前記不稼働モードの間に給電オフされるトランシーバ
をさらに有し、前記稼働モードは、前記トランシーバが前記不稼働モードから覚醒すること、並びに前記無線ネットワークにおいて通信情報の送信及び受信の少なくとも一方の動作を有する、装置。
【請求項１６】
請求項１５に記載の装置であって、当該装置は、ａ／Ｃに等しいデューティサイクルを有し、ここでのａは、１より大きくＣより小さい数である、装置。
【請求項１７】
請求項１４に記載の装置であって、前記無線ネットワークにおいて通信信号を送信し受信するためのアンテナをさらに有し、前記稼働モードは、前記アンテナが当該少なくとも１つの他の装置のアンテナの位置を特定するために用いられる発見モードを有する、装置。
【請求項１８】
請求項１７に記載の装置であって、前記アンテナは、指向性アンテナを有する、装置。
【請求項１９】
請求項１４に記載の装置であって、当該装置は、前記アルゴリズムを実行する前記少なくとも１つの他の装置と、当該装置及び前記少なくとも１つの他の装置が同時に前記稼働モードにあるときに、通信を行うことができる、装置。
【請求項２０】
第１の無線装置が無線ネットワークにおいて第２の無線装置とランデブー動作を行うことを可能にする方法であって、前記第１の無線装置及び前記第２の無線装置の起動スケジュールは、同期化されないものとした方法であって、
Ｘｉ＋１＝（Ｘｉ＋Ｓ）ｍｏｄＣ
なる式に従い、前記第１の無線装置が稼働モードに移行している複数の通信サイクルの各サイクルにおいて２つのスーパーフレーム［Ｘｉ，Ｘｉ＋１］を判定すること（Ｃは、各サイクルにおける複数のスーパーフレームの数であり、Ｓは、１ないしＣ−１の間の値を有する定数である）と、
Ｘ´ｉ＋１＝（Ｘ´ｉ＋Ｓ´）ｍｏｄＣ
なる式に従い、前記第２の無線装置が稼働モードに移行している各サイクルについての２つのスーパーフレーム［Ｘ´ｉ，Ｘ´ｉ＋１］を判定すること（Ｓ´は、１ないしＣ−１の間の値を有する定数であり、Ｓ´は、Ｓに必ずしも等しくはない）と、
を有し、
前記第１の無線装置と前記第２の無線装置は、前記第１の無線装置と前記第２の無線装置の双方が同時に前記稼働モードにあるときに互いに位置特定及び通信のうちの少なくとも一方の動作を行うことが可能である、
方法。